(57)【要約】      （修正有）【課題】ホーゼル部に嵌合挿入されるシャフト取付用スリーブに筒状部材を外装してカバーし、外観が良好であって、汎用性が高く、筒状部材の取外しが容易で、取外し後の再利用も可能なクラブシャフト取付具及びカバーを提供する。【解決手段】ヘッド３のホーゼル部６に嵌合挿入して固定されるシャフト取付用スリーブ８に、ホーゼル部６の軸心に対して傾斜したシャフト２挿入用の挿入部８ａを形成し、挿入部８ａにシャフト２を挿入して固定した状態で、該シャフト取付用スリーブ８の外周を筒状部材９によってカバーするゴルフクラブシャフト取付具用カバーにおいて、シャフト取付用スリーブ８のホーゼル部６からの露出部分に接着固定される前記筒状部材９を、上記接着固定を解除するための加熱に対し、耐熱性を有して形状を保持する材料によって構成したことを特徴としている。【選択図】図４
0003172497.tif 000002
【実用新案登録請求の範囲】
【請求項１】
ヘッド（３）のホーゼル部（６）に嵌合挿入して固定されるシャフト取付用スリーブ（８）に、ホーゼル部（６）の軸心に対して傾斜したシャフト（２）挿入用の挿入部（８ａ）を形成し、挿入部（８ａ）にシャフト（２）を挿入して固定した状態で、該シャフト取付用スリーブ（８）の外周を筒状部材（９）によってカバーするゴルフクラブシャフト取付具用カバーにおいて、シャフト取付用スリーブ（８）のホーゼル部（６）からの露出部分に接着固定される前記筒状部材（９）を、上記接着固定を解除するための加熱に対し、耐熱性を有して形状を保持する材料によって構成したゴルフクラブシャフト取付具用カバー。
【請求項２】
筒状部材（９）を金属材料によって形成した請求項１記載のゴルフクラブシャフト取付具用カバー。
【請求項３】
筒状部材（９）をアルミ材又はステンレス材によって形成した請求項２記載のゴルフクラブシャフト取付具用カバー。
【請求項４】
筒状部材（９）をヘッド（３）側に向かって径が次第に拡大する円錐台状に成形した請求項１乃至３の何れかに記載のゴルフクラブシャフト取付具用カバー。
【請求項５】
筒状部材（９）のヘッド（３）側の端部の断面形状を、ホーゼル部（６）の先端部の断面形状に沿う形状に成形した請求項４記載のゴルフクラブシャフト取付具用カバー。
【請求項６】
請求項１乃至５の何れかに記載のゴルフクラブシャフト取付具用カバー（９）と、前記シャフト取付用スリーブ（８）とを備えたゴルフクラブシャフト取付具。
【請求項７】
固定時にシャフト取付用スリーブ（８）におけるホーゼル部（６）の先端側に位置する部分を、ホーゼル部（６）の先端側の内径よりも大きな径を有するように成形することにより係止部（１７）を構成した請求項６記載のゴルフクラブシャフト取付具。
【請求項８】
係止部（１７）の外径をホーゼル部（６）の先端側の外径と一致又は略一致させるとともに、筒状部材（９）のヘッド（３）側端部の外径を係止部（１７）の外径と一致又は略一致させてなる請求項７記載のゴルフクラブシャフト取付具。
【請求項９】
請求億６乃至８の何れかに記載のゴルフクラブシャフト取付具（７）を備え、シャフト取付用スリーブ（８）をホーゼル部（６）に嵌合挿入して固定する際の軸回りの取付位置を変更することにより、ヘッド（３）の角度調整を行うゴルフクラブ。
【請求項１０】
シャフト取付用スリーブ（８）をホーゼル部（６）の底側でボルト固定した請求項９記載のゴルフクラブ。
【考案の詳細な説明】
【技術分野】
【０００１】
この考案は、ゴルフクラブ、ゴルフクラブシャフト取付具及びゴルフクラブシャフト取付具用カバーに関する。
【背景技術】
【０００２】
ヘッドのホーゼル部に嵌合挿入して固定されるシャフト取付用スリーブに、ホーゼル部の軸心に対して傾斜したシャフト挿入用の挿入部を形成し、シャフト取付用スリーブをホーゼル部に挿入する際、該シャフト取付用スリーブを軸回りに回動させて位置調節を行うことにより、シャフトに対するヘッドの取付角度を変更し、これによって、ライ角やフェース角やロフト角等の角度調整（ヘッドの角度調整）を行う特許文献１に示すゴルフクラブシャフト取付具が公知になっている。
【０００３】
また、これと類似したものとして、ホーゼル部への固定時、シャフト取付用スリーブがホーゼル部から外部に露出する程度に、該シャフト取付用スリーブの全長を長く設定し、このシャフト取付用スリーブの挿入部にシャフトを挿入することにより、シャフト取付強度を向上させた特許文献２に示すゴルフクラブシャフト取付具も公知になっているが、このゴルフクラブシャフト取付具は、シャフト取付用スリーブのホーゼル部から外部に露出した部分に傷が付き易いとともに、外観も悪化するという欠点を有している。
【０００４】
そして、この欠点を改善するものとして、挿入部にシャフトを挿入して固定した状態で、該シャフト取付用スリーブの外周を筒状部材によってカバーする特許文献３に示すゴルフクラブシャフト取付具用カバーが公知になっている。
【先行技術文献】
【特許文献】
【０００５】
【特許文献１】特開平９−１６４２２７号公報
【特許文献２】実開平５−５１６０号公報
【特許文献３】特開２０１１−６２４２４号公報（第７図）
【考案の概要】
【考案が解決しようとする課題】
【０００６】
特許文献３に示すゴルフクラブシャフト取付具用カバーによれば、シャフト取付用スリーブのホーゼル部からの露出部分が筒状部材によってカバーされて保護されるので、傷も付き難く、外観も良好に保持されるとともに、筒状部材が、シャフト取付用スリーブのホーゼル部からの露出部分に、ネジ係合によって、着脱自在に取付固定されるため、筒状部材の取外しが容易で、該取外した筒状部材を再利用することも可能である。
しかしながら、上述した通り、筒状部材をシャフト取付用スリーブにネジ係合によって固定しているため、筒状部材がシャフト取付用スリーブに対して専用品になるとともに、このようにしてシャフト取付用スリーブに外装された筒状部材は、その下端部の外周がホーゼル部にネジ係合された状態で挿入され、ネジ止めによって筒状部材がホーゼル部に固定されているため、筒状部材がホーゼル部に対しても専用品になる。このため、汎用性が低く、製造コストも高くなる。
【０００７】
本考案は、ヘッドのホーゼル部に嵌合挿入して固定されるシャフト取付用スリーブに、ホーゼル部の軸心に対して傾斜したシャフト挿入用の挿入部を形成し、シャフト取付用スリーブの外周を筒状部材によってカバーして保護し、外観を良好に保持するものであって、筒状部材の汎用性が高いとともに、シャフト取付用スリーブからの筒状部材の取外しが容易で且つ取外した後の筒状部材を再度利用可能とすることを課題としている。
【課題を解決するための手段】
【０００８】
上記課題を解決するため、第１に、ヘッド３のホーゼル部６に嵌合挿入して固定されるシャフト取付用スリーブ８に、ホーゼル部６の軸心に対して傾斜したシャフト２挿入用の挿入部８ａを形成し、挿入部８ａにシャフト２を挿入して固定した状態で、該シャフト取付用スリーブ８の外周を筒状部材９によってカバーするゴルフクラブシャフト取付具用カバーにおいて、シャフト取付用スリーブ８のホーゼル部６からの露出部分に接着固定される前記筒状部材９を、上記接着固定を解除するための加熱に対し、耐熱性を有して形状を保持する材料によって構成したことを特徴としている。
【０００９】
第２に、筒状部材９を金属材料によって形成したことを特徴としている。
【００１０】
第３に、筒状部材９をアルミ材又はステンレス材によって形成したことを特徴としている。
【００１１】
第４に、筒状部材９をヘッド３側に向かって径が次第に拡大する円錐台状に成形したことを特徴としている。
【００１２】
第５に、筒状部材９のヘッド３側の端部の断面形状を、ホーゼル部６の先端部の断面形状に沿う形状に成形したことを特徴としている。
【００１３】
第６に、上記ゴルフクラブシャフト取付具用カバー９と、前記シャフト取付用スリーブ８とを備えたことを特徴としている。
【００１４】
第７に、固定時にシャフト取付用スリーブ８におけるホーゼル部６の先端側に位置する部分を、ホーゼル部６の先端側の内径よりも大きな径を有するように成形することにより係止部１７を構成したことを特徴としている。
【００１５】
第８に、係止部１７の外径をホーゼル部６の先端側の外径と一致又は略一致させるとともに、筒状部材９のヘッド３側端部の外径を係止部１７の外径と一致又は略一致させてなることを特徴としている。
【００１６】
第９に、上記ゴルフクラブシャフト取付具７を備え、シャフト取付用スリーブ８をホーゼル部６に嵌合挿入して固定する際の軸回りの取付位置を変更することにより、ヘッド３の角度調整を行うことを特徴としている。
【００１７】
第１０に、シャフト取付用スリーブ８をホーゼル部６の底側でボルト固定したことを特徴としている。
【考案の効果】
【００１８】
シャフト取付用スリーブのホーゼル部からの露出部分に接着固定される筒状部材を、上記接着固定を解除するための加熱に対し、耐熱性を有して形状を保持する材料によって構成しており、シャフト取付用スリーブの外周をカバーして保護し且つ外観を良好に保持する筒状部材は、シャフト取付用スリーブにおけるホーゼル部からの露出部分に接着固定されるので、専用品を用意する必要が無く、汎用性が高いとともに、加熱によって、筒状部材を、再利用可能な状態で、シャフト取付用スリーブから容易に取外すことができる。
【００１９】
また、筒状部材をヘッド側に向かって径が次第に拡大する円錐台状に成形すれば、筒状部材の外周によって、ホーゼル部の外周と、シャフトの外周が、より滑らかに接続され、外観が良好に保持される。
【００２０】
さらに、筒状部材のヘッド側の端部の断面形状を、ホーゼル部の先端部の断面形状に沿う形状に成形すれば、ホーゼル部の外周と、シャフトの外周が、さらに滑らかに接続される。
【図面の簡単な説明】
【００２１】
【図１】本考案を適用したウッドの要部正面図である。
【図２】図１に示すウッドのヘッド部分の平面図である。
【図３】図１に示すウッドのヘッド部分の側面図である。
【図４】シャフト取付具の構成を示す要部分解正面図である。
【図５】シャフト取付具の構成を示す要部正面図である。
【図６】（Ａ）はスリーブの側面図であり、（Ｂ）は（Ａ）のＢ−Ｂ断面図である。
【図７】（Ａ）は位置決め筒の側面図であり、（Ｂ）は位置決め筒の平面図である。
【図８】スリーブの位置決め軸を位置決め筒に挿入した状態を示す平断面図である。
【図９】（Ａ）は筒状部材の側面図であり、（Ｂ）は筒状部材の平面図である。
【考案を実施するための形態】
【００２２】
図１は、本考案を適用したウッドの要部正面図であり、図２，３は、図１に示すウッドのヘッド部分の平面図及び側面図である。ゴルフクラブの一種であるウッド１は、金属やＦＲＰで構成され且つ直線状に延びる円柱状のシャフト（クラブシャフト）２と、シャフト２の先端部（下端部）に取付けられるヘッド（クラブヘッド）３と、シャフト２の基端部に形成された樹脂製のグリップ（図示しない）等とから構成されている。
なお、本考案は、ゴルフクラブのなかでもウッド１に限定されるものではなく、アイアン等にも適用可能である。
【００２３】
ヘッド３の前面には、ゴルフボールを打撃する打撃面を有するフェース４が形成され、
ヘッド３の内側（プレーヤに近い側）側部には、シャフト２方向に沿って斜め上方に突出するパイプ状のホーゼル（ホーゼル部）６が一体形成されている。このホーゼル部６は、その内周面によって、上端が開放端となる挿入穴（挿入部）６ａ（図４参照）を構成している。
【００２４】
この挿入孔６ａに、シャフト取付具（ゴルフクラブシャフト取付具）７を介して、シャフト２の下端部（先端部）を挿入して固定することにより、シャフト２へのヘッド３の取付けを行う。このシャフト２のヘッド３への取付けによって、ウッド１のライ角α、フェース角β及びロフト角γが定まる（図１乃至３参照）。
【００２５】
図４は、シャフト取付具の構成を示す要部分解正面図であり、図５は、シャフト取付具の構成を示す要部正面図である。シャフト取付具７は、挿入穴６ａ（ホーゼル部６）に嵌合挿入される金属性のスリーブ（シャフト取付用スリーブ）８と、スリーブ８に外装される金属性の筒状部材（ゴルフクラブシャフト取付具用カバー）９と、挿入穴６ａの底側に配設される位置決め筒１１と、取付ボルト１２とを備えている。
【００２６】
図６（Ａ）はスリーブの側面図であり、（Ｂ）は（Ａ）のＢ−Ｂ断面図である。スリーブ８は、その内周側にシャフト２を挿入する挿入穴（挿入部）８ａが形成され、この挿入穴８ａは、有底であって、上方が開放されており、この挿入穴８ａの中心軸は、スリーブ８の軸心（スリーブ８の外周の中心軸）に対して、予め設定された所定角度である調整角θだけ傾斜している。ちなみに、スリーブ８の挿入穴８ａに挿入されたシャフト２は、接着剤によって接着固定される。
【００２７】
そして、挿入穴８ａに嵌合挿入されて固定された状態のシャフト２は、該挿入穴８ａと同一軸心になるとともに、ホーゼル部６の挿入穴６ａに嵌合挿入されるスリーブ８は、該挿入穴６ａと同一軸心になるため、シャフト２の軸心は、ホーゼル部６の軸心に対して、所定方向（調整方向）に調整角θだけ傾斜した状態になる。
【００２８】
この調整方向は、スリーブ８をホーゼル部６内で自身の軸回り回動させることにより、変更される。このようにして、設定された調整方向と、調整角θとによって、上記ライ角α、フェース角β及びロフト角γが適宜変更調整される。
【００２９】
また、スリーブ８の下端部は、他の部分と比べて径が若干縮小したスプライン軸からなる位置決め軸１３によって構成され、スリーブ８の下部及び中途部は、ホーゼル部８に挿入される被挿入部１４になり、スリーブ８の上部は、該挿入時にホーゼル部８から外部に露出する露出部１６になり、スリーブ８の被挿入部１４と露出部１６との境目には、径が他の部分に対して拡大した円形リング状且つ鍔状の係止部１７が一体成形されている。ちなみに、この係止部１７の外径は、ホーゼル部６の上端（先端）の外周の径と略同一又は同一である。
【００３０】
位置決め軸１３の外周には、軸方向に延びる歯１３ａが、軸回りに等間隔毎に満遍無く配設され、これによってスプライン軸を構成している。また、この位置決め軸１３の内部には下方開放されたボルト穴８ｂが穿設されている。このボルト穴８ｂは、スリーブ８と軸心上に延びている。
【００３１】
図７（Ａ）は位置決め筒の側面図であり、（Ｂ）は位置決め筒の平面図である。位置決め筒１１がホーゼル部６の挿入穴６ａに嵌合状態で挿入されるように、位置決め筒１１の外周径は、挿入穴６ａの径と略同一又は若干短い長さに設定されている。位置決め筒１１の内周には、上記歯１３ａと嵌合する溝１１ａが、軸回りに等間隔毎に満遍なく凹設されている。この位置決め筒１１はホーゼル部６の挿入穴６ａの底面側に接着剤等で固着され、この固着状態では、位置決め筒１１と、スリーブ８と、ホーゼル部６の挿入穴６ａとが同一軸心になる。
【００３２】
また、ホーゼル部６の挿入穴６ａの底面の中心部には、ヘッド３の下面側に連通する挿通孔６ｂが穿設されている。
【００３３】
図８は、スリーブの位置決め軸を位置決め筒に挿入した状態を示す平断面図である。図４、図５及び図８に示す通り、ホーゼル部６の挿入穴６ａにスリーブ８を嵌合して挿入すると、係止部１７がホーゼル部６の先端面に接当し、それ以上奥に挿入できない状態になるとともに、位置決め軸１３の外周が位置決め筒１１の内周に挿入されてスプライン結合した状態になる他、ボルト穴８ｂの軸心に挿通孔６ｂの中心が位置した状態になる。
【００３４】
そして、ヘッド３の下面側から、挿通孔６ｂ→ボルト穴８ｂの順に取付ボルト１２を挿入し、ネジ止めすることにより、スリーブ８の下端側を、ホーゼル部６の挿入穴６ａの底側にボルト固定し、これによってスリーブ８の挿入穴８ａに挿入されて接着固定されたシャフト２がヘッド３に取付固定される。
【００３５】
なお、位置決め軸１３と位置決め筒１１のスプライン結合によって、ホーゼル部６におけるスリーブ８の軸回り取付位置が定まり、この位置決め軸１３の歯１３ａと、位置決め筒１１の溝１１ａとの凹凸係合する組合せを変更することにより、上述したヘッド３の角度調整を行う。ちなみに、図示する例では、８段階で、スリーブ８の軸回り取付位置が変更できる。
【００３６】
次に、図３、図４及び図９に基づき、筒状部材の構成を説明する。
図９（Ａ）は筒状部材の側面図であり、（Ｂ）は筒状部材の平面図である。筒状部材９は、アルミ又はステンレス材料によって両端が開放された円筒状に成形され、この筒状部材９がスリーブ８の露出部１６に外装され、これによってスリーブ８の露出部１６をカバーして保護している。
【００３７】
具体的には、筒状部材９の内周面が、スリーブ８の露出部１６の外周面に、接着剤１８で、接着固定されている。この接着剤１８は、熱可塑性の樹脂製接着剤であり、加熱によって接着力が低下するように構成されている。ちなみに、接着剤１８は従来公知であり、一般的にもよく用いられるものであるから、説明は割愛する。
【００３８】
このため、ヒートガン等からでる熱風又はその他の熱によって、筒状部材９を直接的又は間接的に加熱すると、上記接着剤１８による接着固定が解除される。この際、筒状部材９は、上記加熱に対して耐熱性を有して形状を保持する材料である金属（さらに具体的には、アルミ又はステンレス）によって構成されているので、筒状部材９を破損させることなく、再利用可能な状態でスリーブ８から取外すことが可能になる。
【００３９】
さらに詳細を説明すると、筒状部材９は、上端から下端に向かって径が拡大（ヘッド３側に向かって径が拡大）する円錐台状に成形されており、この筒状部材９の下端の外周径は、係止部１７の外周径と同一又は略同一に設定されている。そして、上述した通り、係止部１７の外周径に対して、ホーゼル部６の先端側の外周径は、同一又は略同一であるため、筒状部材９の下端側外周の断面形状は、係止部１７の外周の断面形状及びホーゼル部６の先端側外周の断面形状と同一又は略同一であり、隣接するもの同士が互いの形状に沿うような形状をなしている。
【００４０】
そして、円錐台状の筒状部材９を相まって、ホーゼル部６の外周と、シャフト２の外周とが連続的且つ滑らかに連接され、外観が良好になる。
【００４１】
以上のような構成によれば、筒状部材９がスリーブ８に接着固定されるため、スリーブ８毎に専用品を用意する必要性が低くなり、汎用性が向上するにもかかわらず、筒状部材９を破損させることなく、スリーブ８から取外すことが容易であるため、メンテナンスコストも低減できる。また、スリーブ８のカラーバリエーションを設ければ、ゴルフクラブ１のデザインの簡易な変更も容易に行うことが可能になる。
【００４２】
ちなみに、接着固定を解除して、再度、筒状部材９をスリーブに外装する際には、スリーブの外周側に付着した接着剤１８の残りカスを、確実に削ぎ落としてから、上記装着作業を行った方が良い。
【符号の説明】
【００４３】
２  シャフト（クラブシャフト）
３  ヘッド（クラブヘッド）
６  ホーゼル（ホーゼル部）
７  ゴルフクラブシャフト取付具
８  スリーブ（シャフト取付用スリーブ）
８ａ  挿入穴（挿入部）
９  筒状部材（ゴルフクラブシャフト取付具用カバー）
１７  係止部
【図１】
0003172497.tif 000003
【図２】
0003172497.tif 000004
【図３】
0003172497.tif 000005
【図４】
0003172497.tif 000006
【図５】
0003172497.tif 000007
【図６】
0003172497.tif 000008
【図７】
0003172497.tif 000009
【図８】
0003172497.tif 000010
【図９】
0003172497.tif 000011